(57)【要約】【課題】読み取りエラーや読み取り誤認識の発生を抑制する。【解決手段】複数の単票Ｓが連なる連続帳票Ｒを搬送する搬送手段２０と、搬送方向に沿って並ぶ共に、各単票Ｓの情報表示部Ｍの読み取りを行う第一及び第二の読み取りセンサ３１，３２と、各センサ３１，３２の下流側で連続帳票Ｒを単票Ｓごとに切断する切断手段４０と、搬送手段２０に、単票Ｓの幅ごとに停止しつつ間欠的な搬送を行わせると共に、切断手段４０に、間欠的な搬送の搬送停止時ごとに連続帳票Ｒの切断を行わせる動作制御手段と、各読み取りセンサ３１，３２の読み取り出力の内、搬送駆動時の出力のみを組み合わせて各情報表示部Ｍの読み取りを行う読み取り制御手段とを備えている。【選択図】              図１
2005047638.tif 000002
【特許請求の範囲】
【請求項１】
複数の単票が搬送される方向に沿って一体的に連なる連続帳票を搬送する搬送手段と、
前記搬送手段による搬送方向に沿って並んで配設されると共に、前記各単票に付された情報表示部の読み取りを行う第一及び第二の読み取りセンサと、
前記各読み取りセンサの搬送方向下流側に設けられ、前記連続帳票を単票ごとに切断する切断手段とを備え、
前記各単票ごとに付された情報表示部は、前記搬送される方向に沿って並んだ複数の光学的に読み取り可能な表示の集合からなり、
前記搬送手段に、前記単票の幅ごとに停止しつつ間欠的な搬送を行わせると共に、前記切断手段に、前記間欠的な搬送の搬送停止時ごとに前記連続帳票の切断を行わせる動作制御部と、
前記各読み取りセンサの読み取り出力の内、前記間欠的な搬送の搬送駆動時の出力のみを組み合わせて前記各単票ごとの情報表示部の読み取りを行う読み取り制御部とを備えることを特徴とする連続帳票用光学情報読取装置。
【請求項２】
前記読み取り制御部は、前記搬送手段の連続帳票の送り量を監視すると共に、前記切断手段と第一及び第二の読み取りセンサの搬送方向における相対的な位置関係から、前記情報表示部に対して、いずれか一方の読み取りセンサが少なくとも搬送停止時に読み取りを行う領域の読み取り出力については、当該領域についての他方の読み取りセンサの読み取り出力を参照して前記情報表示部の読み取りを行うことを特徴とする請求項１記載の連続帳票用光学情報読取装置。
【発明の詳細な説明】
【０００１】
【発明の属する技術分野】
本発明は、単票ごとに切断する機能を備えた連続帳票用光学情報読取装置に関するものである。
【０００２】
【従来の技術】
従来の連続帳票用光学情報読取装置は、搬送される連続帳票に対して各単票に設けられた光学的に読み取り可能な識別マークの読み取りを行い、単票ごとに識別を行ってから、その搬送方向下流側に設けられた裁断機により、単票ごとの裁断を行っていた（例えば、特許文献１参照）。
【０００３】
【特許文献１】
特開２００２−１２６６５４号公報
【０００４】
【発明が解決しようとする課題】
上記特許文献１に記載の連続帳票用光学情報読取装置は、単票の搬送方向の幅ごとに搬送を行い、搬送を停止してから裁断が行われる。その一方で、搬送駆動時と搬送停止時とにかかわらず識別マークの読み取りが行われる。
そして、搬送駆動時における読み取りについては、安定した搬送速度で通過する識別マークに対して読み取りが行われるため、その読み取りエラーは生じない。
しかしながら、搬送停止時にあっては、搬送機構の各部の部品の加工精度や組み立て精度によって、或いは搬送ベルトの伸び、連続帳票の穴ズレ等の影響により、マークが表示されている連続帳票の実際の位置と情報読取装置が認識している連続帳票の制御上の相対的な位置が搬送方向に沿ってズレを生じる場合があり、その結果、搬送定時における読取により読み取りエラーや誤認識を生じる場合がある、という問題があった。
【０００５】
本発明は、正確な読取を行う連続帳票用光学情報読取装置を提供することをその目的とする。
【０００６】
【課題を解決するための手段】
請求項１記載の発明は、複数の単票が搬送される方向に沿って一体的に連なる連続帳票を搬送する搬送手段と、搬送手段による搬送方向に沿って並んで配設されると共に、各単票に付された情報表示部の読み取りを行う第一及び第二の読み取りセンサと、各読み取りセンサの搬送方向下流側に設けられ、連続帳票を単票ごとに切断する切断手段とを備え、各単票ごとに付された情報表示部は、搬送される方向に沿って並んだ複数の光学的に読み取り可能な表示の集合からなり、搬送手段に、単票の幅ごとに停止しつつ間欠的な搬送を行わせると共に、切断手段に、間欠的な搬送の搬送停止時ごとに連続帳票の切断を行わせる動作制御部と、各読み取りセンサの読み取り出力の内、間欠的な搬送の搬送駆動時の出力のみを組み合わせて各単票ごとの情報表示部の読み取りを行う読み取り制御部とを備える、という構成を採っている。
【０００７】
上記構成にあっては、連続帳票が搬送される。このとき、動作制御部により、連続帳票は、予め決められた単票の搬送方向幅の単位で搬送されるごとに一時的に停止して切断手段により単票ごとに切断作業が行われる。また、各読み取りセンサでは、搬送により通過する単票の情報表示部に対する読み取りが行われ、その読み取り制御部に出力される。
このとき、第一の読み取りセンサと第二の読み取りセンサとを搬送方向について単票の幅の整数倍と一致しない間隔で配置することにより、一方の読み取りセンサにより搬送停止時に読み取りが行われた情報表示部の一部分の領域に対して、他方の読み取りセンサでは搬送駆動時に読み取りが行われる。
従って、読み取り制御部は、二つの読み取りセンサの出力について、搬送駆動時の読み取り出力に基づく情報を組み合わせることにより、各単票の情報表示部の全体を網羅することができ、搬送停止時における出力の影響が排除される。
【０００８】
請求項２記載の発明は、請求項１記載の発明と同様の構成を備えると共に、読み取り制御部は、搬送手段の連続帳票の送り量を監視すると共に、切断手段と第一及び第二の読み取りセンサの搬送方向における相対的な位置関係から、情報表示部に対して、いずれか一方の読み取りセンサが搬送停止時に読み取りを行う領域の読み取り出力については、当該領域についての他方の読み取りセンサの読み取り出力を参照して情報表示部の読み取りを行う、という構成を採っている。
【０００９】
上記構成では、請求項１記載の発明と同様の作用を奏すると共に、読み取り制御部は、搬送手段の連続帳票の送り量を監視する。このとき、読み取り制御部では、切断手段と各読み取りセンサとの相対的な位置関係及び単票の搬送方向幅が既知であれば、各読み取りセンサが切断のための搬送停止時に単票の情報表示部のいずれの領域の読み取りを行っていたかを認識可能である。また、各読み取りセンサの相対的な位置関係が既知であれば、一方の読み取りセンサが搬送停止時に読み取りを行った領域に対して、他方の読み取りセンサが読み取りを行った読み取り出力を特定することが可能である。
【００１０】
従って、一つの情報表示部について、一方の読み取りセンサが搬送停止時に読み取りを行った領域を含む範囲については、同範囲についての他方の読み取りセンサの出力を参照し、他方の読み取りセンサが搬送停止時に読み取りを行った領域を含む範囲については、同範囲についての一方の読み取りセンサの出力を参照することで、その情報表示部の全範囲について搬送駆動状態で読み取られたセンサ出力のみに基づいて、その後の処理が行われる。
【００１１】
なお、一方の読み取りセンサの「少なくとも搬送停止時に読み取りを行う領域」とは、一方の読み取りセンサの搬送停止時のみの範囲に限らず、その前又は後の読み取りを行った領域を含む搬送方向についてある程度の幅を有する範囲であっても良いことを示す意味である。但し、他方の読み取りセンサの搬送停止時の読み取り領域を含まないことを条件とする。また、この条件を満たすのであれば、第一の読み取りセンサと第二の読み取りセンサとで一つの情報表示部について二等分して各領域ごとの読み取り出力から情報表示部の認識を行っても良い。
【００１２】
【発明の実施の形態】
（実施の形態の全体構成）
以下、本発明の実施の形態たる連続帳票用光学情報読取装置１０について図１乃至図４に基づいて説明する。
連続帳票Ｒとは、伝票等の所定書類である複数の単票Ｓが一体的に帯状に連なったものであり、その長手方向に搬送されると共に単票単位で切断が行われる。
連続帳票用光学情報読取装置１０は、上記連続帳票Ｒを搬送して単票Ｓごとに切断すると共に各単票Ｓに付された情報表示部Ｍの読み取りを行うものであって、例えば、連続帳票Ｒから切り離された単票Ｓを封筒に封入し封緘を行う封入封緘装置の一部として組み込まれて使用される。
【００１３】
図１は連続帳票用光学情報読取装置１０の全体構成を示すブロック図である。図１に示すように、連続帳票用光学情報読取装置１０は、複数の単票Ｓが搬送される方向に沿って一体的に連なる連続帳票Ｒを搬送する搬送手段としてのトラクタ２０と、トラクタ２０による搬送方向に沿って並んで配設されると共に、各単票Ｓに付された情報表示部Ｍの読み取りを行う第一及び第二の読み取りセンサ３１，３２と、連続帳票Ｒの搬送経路上において連続帳票Ｒの搬送方向先端部を検出する先端位置センサとしてのＴＯＦ（ＴＯＰ  ＯＦ  ＦＯＲＭ）センサ３３と、各読み取りセンサ３１，３２の搬送方向下流側に設けられ、連続帳票Ｒを単票Ｓごとに切断する切断手段４０と、連続帳票Ｒの幅方向（搬送される方向と直交する方向）における両端部に設けられたトラクタ搬送用穴部を切除する側端部切除手段５０と、連続帳票Ｒから分離された単票Ｓを下流側の構成に送り出す中継搬送手段６０と、上記各構成の動作制御及び各単票の情報表示部の読み取り処理を行う制御手段としてのＣＰＵ７０とを備えている。
【００１４】
（連続帳票）
図２は連続帳票Ｒの要部拡大図であり、図示の如く、連続帳票Ｒは、前述したように、複数の単票Ｓが搬送される方向に沿って連続してつながっている帯状のシート体であり、幅方向両端部には搬送される方向に沿って均一間隔でトラクタ搬送用の貫通穴Ｈが形成されている。
各単票Ｓには、その幅方向（図１における左右方向）における所定位置に情報表示部Ｍが付されている。この情報表示部Ｍは、Ｏｐｔｉｃａｌ  Ｍａｒｋ  Ｒｅａｄｅｒマークである。
この情報表示部Ｍは、搬送される方向に沿って均一間隔で並ぶように予め設定されたバー表示エリアＡごとに単票Ｓの地色とことなる黒色バーＢの表示があるか否かにより連続帳票用光学情報読取装置１０に対して所定の情報を識別させる。
つまり、バー表示エリアＡの個体数をｎとすると、情報表示部Ｍは、２ｎビットの情報を識別させることが可能となる。
【００１５】
（トラクタ）
トラクタ２０は、図１に示すように、連続帳票Ｒの両側部を搬送方向に案内するガイド２１と、連続帳票Ｒの貫通穴Ｈに係合して回転駆動することで搬送方向（図１における上方）に連続帳票Ｒを搬送する図示しない一対の搬送ローラと、一対の搬送ローラを回転駆動する駆動源としての搬送モータ２２と、搬送モータ２２の回転量を検出しＣＰＵ７０に出力するエンコーダ２３とを備えている。
上記搬送モータ２２はサーボモータであって、動作制御手段７０に接続されたモータドライバ７１を介して、その回転速度及び回転量の制御が行われるようになっている。
【００１６】
（切断手段）
切断手段４０は、図１に示すように、トラクタ２０に対して搬送方向下流側に配置され、連続帳票Ｒの上面に対して垂直に上下動して連続帳票の幅方向に切断する横刃４１と、横刃４１の上下動動作の駆動源となる切断モータ４２とを備える構成となっている。
上記切断モータ４２は、モータドライバ７２を介してＣＰＵ７０に接続され、ＣＰＵ７０が決定する開始タイミングで正転と逆転の駆動が行われ、これにより横刃７１の上下動が行われる。
【００１７】
（側端部切除手段）
側端部切除手段５０は、図１に示すように、トラクタ２０と切断手段４０の間に配置され、搬送される連続帳票Ｒの幅方向両端となる各位置よりも互いに幾分近接する位置に配置された一対の回転刃５１，５１と、各回転刃５１を回転駆動する回転モータ５２とを備えている。
上記回転モータ５２は、モータドライバ７３を介してＣＰＵ７０に接続され、ＣＰＵ７０により、トラクタ２０の搬送に同期して回転駆動が行われ、搬送される連続帳票Ｒの両側端部の貫通穴Ｈが設けられている部分が切除される。
【００１８】
（中継搬送手段）
中継搬送手段６０は、図１に示すように、切断手段４０よりも搬送方向下流側に配置され、連続帳票Ｒから切断された単票Ｓを封入封緘装置の次工程、例えば、単票Ｓをその種別に応じて仕分けしたり、単票Ｓを折り畳んだり、封筒に封入したりする作業を行う装置に受け渡す動作を行う。
この中継搬送手段６０は、搬送される連続帳票Ｒの幅方向に沿った同一支軸により支持された複数の搬送ローラ６１と、支軸を介して各搬送ローラ６１を回転駆動する中継搬送モータ６２とを備えている。
上記中継搬送モータ６２は、モータドライバ７４を介してＣＰＵ７０に接続され、ＣＰＵ７０により、トラクタ２０の搬送に同期して回転駆動が行われ、切断された単票Ｓの次工程を行う装置に受け渡しを行う。
【００１９】
（ＴＯＦセンサ）
ＴＯＦセンサ３３は、トラクタ２０上に配置され、搬送されてくる連続帳票Ｒの先端部を検出する。このＴＯＦセンサ３３は、光源と受光素子とからなり、光源から出射光の連続帳票Ｒに対する反射光を受光することにより連続帳票Ｒの先端部を検出することができる。ＴＯＦセンサ３３の検出信号はＣＰＵ７０に出力される。そして、ＣＰＵ７０では、このＴＯＦセンサ３３により連続帳票Ｒの先端部を認識すると、前述したエンコーダ２３の出力に基づいて連続帳票Ｒの送り量のカウントを開始する。
【００２０】
（第一及び第二の読み取りセンサ）
第一及び第二の読み取りセンサ３１，３２は、いずれも、トラクタ２０の上方であって搬送される連続帳票Ｒの情報表示部Ｍの通過線上に配置されている。そして、これらの第一及び第二の読み取りセンサ３１，３２は、いずれも、光源と受光素子とからなり、光源から出射光の連続帳票Ｒに対する反射光を受光するとと共に、その反射光の輝度値の大きさから情報表示部Ｍの黒色バーＢの有無を識別することができる。
【００２１】
また、第一及び第二の読み取りセンサ３１，３２は、連続帳票Ｒの搬送される方向について互いに距離を置いて配置されている。この第一の読み取りセンサ３１と第二の読み取りセンサ３２の搬送方向距離は、単票Ｓの搬送方向における幅と一致しなければ良く（その理由は後述する）、この連続帳票用光学情報読取装置１０では、情報表示部Ｍの搬送方向幅よりも小さく設定されている。
【００２２】
（連続帳票用光学情報読取装置の制御系）
ＣＰＵ７０は、前述したように、各ドライバ７１〜７４を介して搬送モータ２２、切断モータ４２、回転モータ５２、中継搬送モータ６２と接続され、これらの各モータを所定のタイミングで、所定の回転速度で、所定の駆動量で駆動させることができる。
【００２３】
このＣＰＵ７０は、記憶装置７５が併設されている。この記憶装置７５は、例えば、ＲＯＭ及びＲＡＭであり、後述するＣＰＵ７０が実行する各種機能，動作の制御プログラム及び制御データが記憶されると共に種々のワークメモリやカウンタなどが設けられており、動作制御中のワークエリアとしても使用される。
【００２４】
また、ＣＰＵ７０には、各種設定値の入力及びその操作画面の表示等を行うための入出力装置７６が併設されている。入出力装置７６は、例えば、操作パネルと表示装置であり、ＣＰＵ７０の制御に要する設定値、例えば、単票Ｓの搬送方向幅、単票Ｓの搬送方向先端部から情報表示部Ｍの開始位置までの距離、単票Ｓの搬送方向先端部から各バー表示エリアＡまでの距離、バー表示エリアＡの幅及び本数等が設定入力される。
【００２５】
（ＣＰＵの制御）
ＣＰＵ７０は、制御プログラムに基づいて、トラクタ２０に単票Ｓの搬送方向幅ごとに停止しつつ間欠的な搬送を行わせると共に、切断手段４０に、間欠的な搬送の搬送停止時ごとに連続帳票の切断を行わせる動作制御部としての処理と、各読み取りセンサ３１，３２の読み取り出力の内、間欠的な搬送の搬送駆動時の出力のみを組み合わせて各単票Ｓごとの情報表示部Ｍの読み取りを行う読み取り制御部としての処理を行う。
【００２６】
上記動作制御部としての処理について詳説する。
ＣＰＵ７０は、搬送モータ２２の駆動を開始させ、連続帳票Ｒの搬送によりＴＯＦセンサ３３により連続帳票Ｒの先端部が検出されると、エンコーダ２３の出力から連続帳票Ｒの送り量をカウントを開始する。
そして、ＣＰＵ７０は、カウント値に基づいて、ＴＯＦセンサ３３から切断手段４０の横刃４１までの距離に加えて設定入力された単票Ｓの搬送方向幅分の距離の搬送が行われたことを認識すると、搬送モータ２２を停止させ、切断モータ４２を駆動させて連続帳票Ｒの切断を行う動作制御を行う。
さらに、ＣＰＵ７０は、それ以降は、搬送モータ２２による搬送を再開させると共に、カウント値に単票Ｓの搬送方向幅分の値が加算されるごとに搬送モータ２２の駆動を停止し、切断モータ４２を駆動させて連続帳票Ｒの切断を行う動作制御を行う。
これにより、設定された幅に従って連続帳票Ｒから単票Ｓが切り離されることとなる。
【００２７】
読み取り制御部としての処理について詳説する。
上記処理の背景には、各読み取りセンサ３１，３２によるバー表示エリアＡに対する黒色バーＢの検出は、トラクタ２０の搬送停止時にあっては、慣性力や機構のバックラッシ、部品の組み立て誤差や加工誤差、連続帳票の穴ズレ等の影響を受けて位置ズレを生じやすいことからトラクタ２０の搬送駆動時に行うことが望ましい、という事情がある。このため、一の情報表示部Ｍに対して二つの読み取りセンサ３１，３２により読み取りを行い、第一の読み取りセンサ３１が搬送停止時に読み取りを行うバー表示エリアＡを含むその周辺については、第二の読み取りセンサ３２により読み取りを行うようにＣＰＵ７０は、処理を行っている。
【００２８】
まず、ＴＯＦセンサ３３−第一の読み取りセンサ３１間の搬送方向における距離及びＴＯＦセンサ３３−第二の読み取りセンサ３２間の搬送方向における距離は、いずれも装置１０の設計段階から分かっていることから、その距離の値が予め記憶装置７５に記憶されている。
また、単票Ｓの先端から各バー表示エリアＡの位置及び幅は入出力装置７６から設定入力され、記憶装置７５に記憶されている。
また、横刃４１−第一の読み取りセンサ３１間の搬送方向における距離及び横刃４１−第二の読み取りセンサ３２間の搬送方向における距離も、そのいずれもが装置１０の設計段階から分かっていることから、その距離の値も予め記憶装置７５に記憶されている。
【００２９】
従って、ＣＰＵ７０は、既知である上記各距離から連続帳票Ｒの各切断時、即ち、搬送停止時に、各読み取りセンサ３１，３２が情報表示部Ｍにおけるいずれのバー表示エリアＡに対して検出を行うか、また、そのときのエンコーダ２３のカウント値の帯域がいくつになるかを予め算出する。
そして、その算出結果から、それぞれの読み取りセンサ３１，３２の搬送停止時に検出位置となるバー表示エリアＡを含まないように、情報表示部Ｍに対する各読み取りセンサ３１，３２のそれぞれが読み取りを担当すべき領域を決定する。
【００３０】
図３は、搬送停止時における情報表示部Ｍに対する各読み取りセンサ３１，３２の位置及び各読み取りセンサ３１，３２が担当すべき領域の例を示す説明図である。
図３に示すように、ＣＰＵ７０は、第一の読み取りセンサ３１が搬送停止時に位置するバー表示エリアＡを含む前後所定数のバー表示エリアＡについては、第二の読み取りセンサ３２が読み取りを担当する領域Ｍ２とし、残る他のバー表示エリアＡについては第一のセンサ３１が読み取りを担当する領域Ｍ１とする。
なお、情報表示部Ｍの分担方法については、上述のように二等分することに限定されるものではなく、第一の読み取りセンサ３１の搬送停止時におけるバー表示エリアＡについては第二の読み取りセンサ３２が担当し、第二の読み取りセンサ３２の搬送停止時におけるバー表示エリアＡについては第一の読み取りセンサ３１が担当するものであれば、いかなるように分担しても良い。
また、主として第一のセンサ３１が情報表示部Ｍの読み取りを担当し、搬送停止時におけるバー表示エリアＡについてのみ第二の読み取りセンサ３２が読み取りを担当するように、各読み取りセンサ３１，３２について主と副との関係で読み取りを行うように分担しても良い。
【００３１】
このように、各読み取りセンサ３１，３２で情報表示部Ｍの読み取り担当領域を分担することから、前述したように、各読み取りセンサ３１，３２の搬送方向における間隔が単票Ｓの搬送方向幅の整数倍と一致すると、搬送停止時における情報表示部Ｍの読み取り位置が各読み取りセンサ３１，３２について共に同位置となる。従って、各読み取りセンサ３１，３２の間隔は、単票Ｓの搬送方向幅の整数倍と一致しないように設定する必要がある。
【００３２】
なお、実際上は、各読み取りセンサ３１，３２の両方ともが情報表示部Ｍの全域に対して読み取りを行い、ＣＰＵ７０は、黒色バーＢの存在示す予め設定された閾値以下の輝度値を検出したことを認識した場合には、そのときのエンコーダ２３のカウント値を記憶装置７５に記憶する処理を行う。
そして、ＣＰＵ７０は、第一の読み取りセンサ３１の複数の黒色バーＢの検出カウント値の内、上述した領域Ｍ１に含まれるものについてのみ採用し、残りのカウント値は採用しない。また、同様に、ＣＰＵ７０は、第二の読み取りセンサ３２の複数の黒色バーＢの検出カウント値の内、上述した領域Ｍ２に含まれるものについてのみ採用し、残りのカウント値は採用しない。
さらに、ＣＰＵ７０は、それぞれの採用するカウント値を合成して、情報表示部Ｍ全体の読み取り情報を求め、その読み取り結果を入出力装置７５により表示したり、或いは上位装置となる封入封緘装置に出力する。
【００３３】
（連続帳票用光学情報読取装置の動作説明）
図４は連続帳票用光学情報読取装置１０の動作フローチャートである。これに基づいて連続帳票用光学情報読取装置１０の動作説明を行う。
まず、入出力装置７６により、単票Ｓの搬送方向幅、単票Ｓの搬送方向先端部から情報表示部Ｍの開始位置までの距離、単票Ｓの搬送方向先端部から各バー表示エリアＡまでの距離、バー表示エリアＡの幅及び本数等が設定入力される。
そして、ＣＰＵ７０は、上記各設定値と横刃４１、ＴＯＦセンサ３３、第一及び第二の読み取りセンサ３１，３２の搬送方向における各位置から情報表示部Ｍにおける第一の読み取りセンサ３１が読み取りを担当する領域Ｍ１と第二の読み取りセンサ３２が読み取りを担当する領域Ｍ２についてのエンコーダ２３のカウント値を算出する（ステップＳ１）。
【００３４】
次に、入出力装置７６から或いは上位装置である封入封緘装置から搬送動作の開始が入力されると、トラクタ２０の搬送モータ２２が駆動し、連続帳票Ｒがガイド２１に沿って搬送される。そして、ＴＯＦセンサ３３の検出により、連続帳票Ｒの搬送方向先端部が認識される（ステップＳ２）。
【００３５】
上記、ＴＯＦセンサ３３による連続帳票Ｒの先端部検出によりエンコーダ２３のカウントを開始する。また、トラクタ２０の連続帳票Ｒの搬送を継続して行い、その際、側端部切除手段５０により連続帳票Ｒの貫通穴が連続する両側端部が切除される（ステップＳ３）。
【００３６】
さらに、連続帳票Ｒの搬送が行われ、連続帳票Ｒの先端部が横刃４１を単票Ｓを一つ分通過したことがエンコーダ２３のカウント値から認識されると、搬送モータ２２が一時停止し、切断モータ４２が駆動して横刃４１の切断動作により連続帳票Ｒから単票Ｓが分離される。
分離された単票Ｓは、中継搬送手段６０により封入封緘装置の次工程の装置に送られる（ステップＳ４）。
【００３７】
また、このとき、連続帳票Ｒの搬送により各読み取りセンサ３１，３２を通過して情報表示部Ｍについては、それぞれの読み取りセンサ３１，３２が担当する領域Ｍ１，Ｍ２の検出出力が採用され、これらを合成することにより、一つの情報表示部Ｍの全バー表示エリアＡについての黒色バーＢの有無が判断され、単票Ｓごとの情報表示部Ｍの読み取りが行われる。
【００３８】
また、連続帳票Ｒの切断後は、連続帳票用光学情報読取装置１０の動作終了の判断が行われる。かかる判断は、例えば、ＴＯＦセンサ３３により連続帳票Ｒの有無により行われ、連続帳票Ｒがなくなっていれば終了となり、連続帳票Ｒがまだ残っている場合は、ステップＳ３に戻り、再び、連続帳票Ｒの搬送が再開される（ステップＳ５）。
【００３９】
（連続帳票用光学情報読取装置の効果）
連続帳票用光学情報読取装置１０では、搬送方向に沿って並んだ第一及び第二の読み取りセンサ３１，３２を備え、互いの読み取りセンサの３１，３２の搬送停止時の検出出力が含まれないように、情報表示部Ｍに対して予めＣＰＵ７０が、第一の読み取りセンサ３１と第二の読み取りセンサ３２とが読み取りを行う領域Ｍ１，Ｍ２を設定すると共に、各領域での検出出力から情報表示部Ｍの読み取り処理を行っている。従って、読み取りエラーや読み取り誤認識の発生を誘引する搬送停止時の各読み取りセンサによるセンサ出力による認識を排除することで読み取りエラーや読み取り誤認識の発生を効果的に抑制し、精度及び信頼性の高い読み取りを行うことが可能となる。
【００４０】
【発明の効果】
請求項１記載の発明は、読み取り制御部が、二つの読み取りセンサの出力について、搬送駆動時の読み取り出力に基づく情報を組み合わせることで各単票の情報表示部の全体を網羅することができ、搬送停止時における各読み取りセンサの出力の影響を排除することができる。従って、読み取りエラーや読み取り誤認識の発生を効果的に低減し、より精度及び信頼性の高い読み取りを行うことが可能となる。
【００４１】
請求項２記載の発明は、一の単票の情報表示部について、いずれか一方の読み取りセンサが搬送停止時に読み取りを行った領域を含む範囲については、同範囲についての他方の読み取りセンサの出力を参照することで、その情報表示部の全範囲について搬送駆動状態で読み取られたセンサ出力のみに基づいて、その後の処理を行うことが可能となる。従って、読み取りエラーや読み取り誤認識の発生を誘引する搬送停止時の各読み取りセンサによるセンサ出力による認識を排除することで読み取りエラーや読み取り誤認識の発生を効果的に抑制し、より精度及び信頼性の高い読み取りを行うことが可能となる。
【図面の簡単な説明】
【図１】発明の実施形態たる連続帳票用光学情報読取装置の全体構成を示すブロック図である。
【図２】連続帳票の要部拡大図である。
【図３】搬送停止時における情報表示部に対する各読み取りセンサの位置及び各読み取りセンサが担当すべき領域の例を示す説明図である。
【図４】連続帳票用光学情報読取装置の動作フローチャートである。
【符号の説明】
１０  連続帳票用光学情報読取装置
２０  トラクタ（搬送手段）
２３  エンコーダ（連続帳票の送り量監視手段）
３１  第一の読み取りセンサ
３２  第二の読み取りセンサ
４０  切断手段
７０  ＣＰＵ（動作制御部、読み取り制御部）
Ａ  バー表示エリア
Ｂ  黒色バー（光学的に読み取り可能な表示）
Ｍ  情報表示部
Ｒ  連続帳票
Ｓ  単票
【図１】
2005047638.tif 000003
【図２】
2005047638.tif 000004
【図３】
2005047638.tif 000005
【図４】
2005047638.tif 000006